(57)【要約】【課題】洗濯水循環手段および洗濯槽の高速回転を用いることなく洗浄効果の向上を図り、駆動モータの負荷を低減するとともに、アンバランスや騒音の発生を抑制できる洗濯機を提供する。【解決手段】水槽７と、水槽７内に水平回転可能に設けられ上端部底面に脱水口４ｄを備えると共に内部周壁４ａに低摩擦係数の表面処理を施した洗濯槽４と、洗濯槽４を水槽７内で回転させる駆動モータ８と、駆動モータ８を制御する制御回路１１と、洗濯槽４の内壁面４ｂに洗濯槽４の底面４ｃに対して一定の角度を持つように固定された突起体１０ａ、１０ｂとを備えた洗濯機１において、水槽７内に給水される水が洗濯槽４の中央側と槽壁側に分けて届くように、給水角度を変える水受け板６ａを備えた給水部６を設けるものとする。【選択図】　　　図１
2004008563.tif 000002
【特許請求の範囲】
【請求項１】
水槽と、該水槽内に水平回転可能に設けられ上部に脱水口を備える洗濯槽と、該洗濯槽を前記水槽内で回転させる洗濯槽駆動手段と、該洗濯槽駆動手段を制御する制御手段とを備えた洗濯機において、
前記水槽内に給水される水が洗濯槽の中央側と槽壁側に分けて届くように、給水角度を変える水受け板を備えた給水部を設けることを特徴とする洗濯機。
【請求項２】
前記給水部は、水槽の上方に設けられ該水槽内に洗剤を投入するための洗剤投入手段の下側に配設されることを特徴とする請求項１に記載の洗濯機。
【請求項３】
前記給水部は、複数の開口部を設けることを特徴とする請求項２に記載の洗濯機。
【請求項４】
洗濯物の量に応じて、前記水受け板の給水角度を変え洗濯層の中央側と槽壁側の給水量の割合を変更可能に制御するようにしたことを特徴とする請求項１乃至３のうちの何れか一項に記載の洗濯機。
【請求項５】
給水速度に応じて、前記水受け板の給水角度を変え洗濯層の中央側と槽壁側の給水量の割合を変更可能に制御するようにしたことを特徴とする請求項１乃至３のうちの何れか一項に記載の洗濯機。
【請求項６】
洗濯開始時に洗濯物の容量が洗濯機定格の７割以上と判定された場合、通常の負荷の判定値より所定量低い負荷の設定で給水を行なった後、１分以上洗濯槽の正転反転を行ない、その後負荷に応じた補給水を行なうことを特徴とする請求項１乃至５のうちの何れか一項に記載の洗濯機。
【発明の詳細な説明】
【０００１】
【発明の属する技術分野】
本発明は、洗濯機に関し、特にパルセータを用いない電気洗濯機の改良に関するものである。
【０００２】
【従来の技術】
従来のこの種の洗濯機としては、特開平９−２５３３７６号公報に開示されているように、洗濯水の循環手段を設け、水槽の下部より取り出した洗濯水を再度洗濯槽の上面に還流させる構造としたものが知られている。この構成によると、上下方向の水流と洗濯槽の高低速回転による水平方向の水流により洗浄効果を高めることができる。
【０００３】
【発明が解決しようとする課題】
しかしながら、前記特開平９−２５３３７６に代表されるこの種の洗濯機では、洗濯水循環経路及び循環手段を要し、使用水量や消費電力の増大が予想される。また、洗濯水を含んだ大容量の洗濯物を洗濯槽ごと高速回転する必要があり、モータにかかる負担も大きく、アンバランスや騒音の問題が生じる可能性がある。
【０００４】
本発明は、上記従来の問題点に鑑みてなされたものであり、洗濯水循環手段および洗濯槽の高速回転を用いることなく洗浄効果の向上を図り、駆動モータの負荷を低減するとともに、アンバランスや騒音の発生を抑制できる洗濯機を提供することを目的とするものである。
【０００５】
【課題を解決するための手段】
本発明は、洗濯機に係り、水槽と、該水槽内に水平回転可能に設けられ上部に脱水口を備える洗濯槽と、該洗濯槽を前記水槽内で回転させる洗濯槽駆動手段と、該洗濯槽駆動手段を制御する制御手段とを備えた洗濯機において、前記水槽内に給水される水が洗濯槽の中央側と槽壁側に分けて届くように、給水角度を変える水受け板を備えた給水部を設けることを特徴とするものである。
この構成によると、洗濯水循環手段および洗濯槽の高速回転を用いなくても高い洗浄効果を奏する。
【０００６】
また、本発明は、前記給水部を、水槽の上方に設けられ該水槽内に洗剤を投入するための洗剤投入手段の下側に配設することが好ましい。この構成によると、高容量の洗濯物でも洗濯水が均等に布になじむまでの時間を短縮して洗浄性能の向上を図ることを可能にする。
【０００７】
また、本発明は、前記給水部に複数の開口部を設けて、水槽内に給水される水が洗濯槽の中央側と槽壁側に分けて給水されるようにすることが好ましい。この構成によると、高容量の洗濯物でも給水中に均等に嵩を減らし、給水時及び回転時に布や水が槽外へ飛び出すのを防止できる。
【０００８】
また、本発明は、洗濯物の量に応じて、前記水受け板の給水角度を変え洗濯層の中央側と槽壁側の給水量の割合を変更可能に制御することが好ましい。
また、本発明は、給水速度に応じて、前記水受け板の給水角度を変え洗濯層の中央側と槽壁側の給水量の割合を変更可能に制御することが好ましい。
上述したように、洗濯物の容量や給水速度に応じて、洗濯層の中央側と槽壁側との給水量の割合を変更することで、高容量の洗濯物でも給水中に均等に嵩を減らし、給水時及び回転時に布や水が槽外へ飛び出すのを防止できる。
【０００９】
また、本発明は、洗濯開始時に洗濯物の容量が洗濯機定格の７割以上と判定された場合、通常の負荷の判定値より所定量低い負荷の設定で給水を行なった後、１分以上洗濯槽の正転反転を行ない、その後負荷に応じた補給水を行なうことが好ましい。この構成によると、洗濯水が槽外へ溢れ出ることなく布の撹拌を行なうことができ、洗濯水をなじませ洗浄性能の向上を図ることを可能にする。
【００１０】
【発明の実施の形態】
以下、本発明の実施の形態を、図面を参照して詳細に説明する。
図１は発明を実施する形態の一例であって、本発明に係る洗濯機を具現化した全自動洗濯機の構成の概略を示す説明図である。
【００１１】
本実施形態に係る洗濯機１は、図１に示すように、洗濯機本体１ａの上面に開閉する蓋体２を設け、前記洗濯機本体１ａ内の略中央部に設けられた水槽７の略中央部に洗濯槽４を配設し、かつ、前記水槽７の上方に洗剤投入手段たる洗剤投入ボックス３を配設して、前記蓋体２を開けて洗濯機本体１ａ内の洗剤投入ボックス３には洗剤を投入し、洗濯槽４には洗濯物を投入する構造である。
【００１２】
前記蓋体２は、略中央部で連結される前側蓋部２ａと後側蓋部２ｂとを備えている。前記前側蓋部２ａと後側蓋部２ｂとは、夫々の一端部が洗濯機本体１ａの幅方向に沿って屈折可能に連結されている。
前記蓋体２の開閉操作は、図１の仮想線（二点鎖線）で示すように、前側蓋部２ａの操作側端部を反操作側方向に押し進めることで、前側蓋部２ａと後側蓋部２ｂとの連結部２ｃが上方に押し上げられ、前側蓋部２ａと後側蓋部２ｂとが縦向きに折り重なりながら反操作側に移動して洗濯機本体１ａの上部を開口する。
【００１３】
前記洗剤投入ボックス３は、上部３ａには給水弁１２を介して給水パイプ５が接続され、下部３ｂには水受け板６ａが設けられた給水部６が構成され、前記水受け板６ａにより洗濯槽４へ給水を行なうようにされている。
前記給水部６は、前記洗剤投入ボックス３の下部３ｂの操作側寄りの一部に開口部６ｂを形成し、該開口部６ｂの下側に前記水受け板６ａを洗濯槽４の中心に近い端部を下方に向かい傾斜させて構成されている。
【００１４】
前記洗濯槽４は、洗濯機本体１ａ内に支持体（図示せず）により懸架された水槽７内に配設され、水槽７の下部に設置された駆動モータ８のモータ軸９に固定され、水槽７内で水平回転可能に構成されている。
また、前記洗濯槽４は、上端部と壁面にのみ脱水口４ｄを有している。前記洗濯槽の内部周壁４ａは、摩擦低減のため概ね平滑に構成され、更に摩擦係数０．１の四フッ化エチレン樹脂のコーティングからなる表面処理が施されている。
【００１５】
さらに、前記洗濯槽４の内側壁面４ｂには固定された１個の突起体１０ａが設けられ、また、前記洗濯槽４の底面４ｃには該底面４ｃに対して一定の角度を持つように固定された１個以上の突起体１０ｂが設けられている。
前記突起体１０ａ、１０ｂが回転することにより、洗濯物１５の水平方向の慣性力を上下方法に変換する力を得るようになっている。
【００１６】
前記洗濯機本体１の操作側上部には、洗濯機１の運転や制御等の命令を送る制御回路１１が設けられ、その上面には運転スイッチ（図示省略）が配置されて使用者が簡単に手元操作できるようにされている。
【００１７】
次に、本実施形態の洗濯機１の動作について説明する。
まず、図１に示すように、洗濯物１５を洗濯槽４にいれ、制御回路１１上の運転スイッチ（図示せず）を入れると、制御回路１１より駆動モータ８に信号が送られ、洗濯槽４を回転駆動させて洗濯物の重量検知が行なわれる。
【００１８】
重量検知が終わると、給水弁１２が開成され水道水が給水パイプ５を通って洗剤投入ボックス３より開口部６ｂを通って水受け板６ａ上を経て洗濯槽４内に送られる。このとき、洗濯機１の定格容量に対して７割以上の負荷を検知した場合、初期の給水を７割負荷時の設定給水量で中断し、制御回路１１から駆動モータ８へ信号が送られ、該駆動モータ８により洗濯槽４を正転反転で反復回転させる。
【００１９】
運転開始からおよそ２分後、制御回路１１から信号が送られて洗濯槽４の回転動作を停止し、給水弁１２が開成される。そして設定給水量まで補給水を行ない、給水弁１２を閉成した後、制御回路１１から駆動モータ８に信号が送られ、洗濯槽４が回転を開始し通常の洗浄運転に移行する。
【００２０】
次に、本発明に係る洗剤投入手段たる洗剤投入ボックス３の一実施例を、図面を参照して詳細に説明する。
図２は本発明の一実施例であって、本発明に係る洗剤投入ボックスの側断面図である。
【００２１】
本実施例の洗剤投入ボックス１０３は、図２に示すように、前部に引出すための取手１３を備え、上部１０３ａには給水パイプ５が接続され、内部には洗剤溶解用の羽根１４ａ、１４ｂ、を配設し、下部１０３ｂには水受け板１７ａが設けられた給水部１７が構成され、前記水受け板１７ａにより洗濯槽（図示省略）へ給水を行なうようにされている。
前記給水部１７は、前記洗剤投入ボックス１０３の下部１０３ｂの洗濯槽内側寄りの一部に開口部１７ｂを形成し、該開口部１７ｂの下側に前記水受け板１７ａを洗濯槽４の中心に近い端部を下方に向かい傾斜させて構成されている。
【００２２】
前記給水パイプ５から給水された水道水は、洗剤投入ボックス１０３内で洗剤１６と混ざり羽根１４ａ、１４ｂを回転させ、洗剤１６を溶解しながら水受け板１７ａ上を滑り降りて洗濯槽内へ送られる。前記水受け板１７ａの構成は、必ずしも洗剤投入ボックス３に対し傾斜している必要はないが、なるべく洗濯槽の中央近くに給水されるような構造が望ましい。
【００２３】
また、変形例として、図３に示すように、洗剤投入ボックス２０３の下部に複数の水受け板２０６ａ１、２０６ａ２、２０６ａ３を設けるものであっても良い。この構成によれば、夫々の水受け板２０６ａ１、２０６ａ２、２０６ａ３の傾斜角度を変えることにより給水を分散させて、洗濯物に満遍なく洗剤液をなじませることができるという効果を奏する。
【００２４】
さらに、その他の変形例として、図４に示すように、洗剤投入ボックス３０３の下部に複数の洗剤投入口または給水用の開口部３０６ｂ１、３０６ｂ２を設け、夫々の開口部３０６ｂ１、３０６ｂ２に切り替え制御可能な水受け板３０６ａ１、３０６ａ２を設けるものであっても良い。この構成によれば、水受け板３０６ａ１、３０６ａ２の傾斜角度を変えることで、給水を分散させるだけでなく、洗濯物の量に応じて洗濯槽の中央側と槽壁側の給水量の割合を変更するように制御するが可能となる。
【００２５】
具体的には、洗濯物の量を洗濯機定格の７割以下と判定した場合は前部の水受け板３０６ａ１は後部の水受け板３０６ａ２と共に給水開始直後より開口し、洗濯機定格の７割以上と判定した場合は前部の水受け板３０６ａ１は給水開始直後には開口せず、後部の水受け板３０６ａ２のみ開口し給水を行なう。
洗濯物の量に応じて給水開始より一定時間（１０秒〜３０秒）経過後、前部の水受け板３０６ａ１を開口し給水を分散させることにより溢水を防止し、布をまんべんなく洗剤液になじませ、結果的に洗浄能力を高めることができる。
【００２６】
尚、上述した実施例や変形例のどの構造においても給水圧を検知し、その値に応じて水受け板の傾斜角度及び水受け板の開口時間を変えて、洗剤液の槽外への溢水を押えるような制御を行なうことも望ましい。
【００２７】
また、本発明に係る水受け板の構成は、前述した実施形態に示すように一枚に限ること無く、上述した実施例や変形例に示すように複数枚もしくは複数箇所に設けるものであってもよい。このように水受け板を複数設けることで、きめ細かな水流方向や水量制御を行なうことができる。
【００２８】
ここで、本発明に係る洗濯機および従来のパルセータ洗濯機における洗浄試験を比較した結果を示す。
本発明に係る洗濯機は、上術した構造及び制御で定格容量８ｋｇの洗濯物の洗浄試験を行い、パルセータ洗濯機は従来の構成及び制御で前記と同様の定格容量８ｋｇの洗濯物の洗浄試験を行なった。
【００２９】
実験の具体的な制御として、まず７割負荷時の設定給水量の給水を行ない、駆動モータ８へ信号が送られて洗濯槽４が正転反転を行なう。運転開始からおよそ２分後、制御回路１１から信号が送られて洗濯槽４の回転を停止し、給水弁１２が開成される。そして設定給水量まで補給水を行ない、給水弁１２を閉成した後、制御回路１１から駆動モータ８に信号が送られ、洗濯槽４が正転反転を８分間行なった。その結果を洗浄比（標準洗濯機の洗浄性能を１とする）で示す。
【００３０】
その結果、パルセータ洗濯機の洗浄比は約０．８であり、本発明の洗濯機の洗浄比は０．９であった。これにより、パルセータを備えない洗濯機でも現行パルセータ機と同等以上の洗浄性能を得られることが証明された。
したがって、本発明によれば、パルセータを備えること無く洗濯物の傷が少なく洗浄性能の高い洗濯機を得ることができる。
【００３１】
【発明の効果】
以上、説明したように本発明の請求項１〜３記載の洗濯機によれば、洗濯水循環手段および洗濯槽の高速回転を用いることなく洗浄効果の向上を図り、駆動モータの負荷を低減するとともに、アンバランスや騒音の発生を抑制することができるという優れた効果を奏し得る。
【００３２】
詳しくは、本発明によれば、洗剤投入手段たる洗剤投入口より給水される水が洗濯槽の中央側と槽壁側に分けて届くように、洗剤投入口の下部に傾斜角度を変えた水受け板を１枚以上設けることにより、洗濯物の高容量負荷の嵩を低減し、洗濯水のなじませ時間を短縮できるとともに洗浄性能の向上を図ることができる。
【００３３】
また、本発明によれば、前記洗剤投入口の下部前方と後方に開口部を設けることにより、洗濯物の高容量負荷の嵩を低減し、洗濯水のなじませ時間を短縮できるとともに洗浄性能の向上を図ることができる。
【００３４】
また、本発明によれば、洗濯物の量に応じて洗濯槽の中央側と槽壁側の給水量の割合が変更されるような制御を行なうことにより、洗濯物の高容量負荷での嵩を低減し、給水時及び回転時の布や水の飛散を防止することができる。
【００３５】
また、本発明によれば、洗濯物の給水速度に応じて洗濯槽の中央側と槽壁側の給水量の割合が変更されるような制御を行なうことにより、給水時及び回転時の布や水の飛散を防止することができる。
【００３６】
また、本発明によれば、洗濯機定格の７割負荷以上と判定した時に７割負荷設定での給水後に１分以上洗濯槽の正転反転を行ない、その後布量に応じた給水を行なうことにより、洗濯水の溢水を防止し、洗濯水をなじませる効果を向上させるとともに洗浄性能の向上を図ることができる。
【図面の簡単な説明】
【図１】本発明に実施形態に係る洗濯機を具現化した全自動洗濯機の全体構成の概略を示す説明図である。
【図２】本発明に係る洗剤投入ボックスの一実施例の構成を示す概略側断面図である。
【図３】前記洗剤投入ボックスの水受け板の変形例の構成を示す概略斜視図である。
【図４】前記洗剤投入ボックスのその他の変形例の構成を示す概略側断面図である。
【符号の説明】
１　洗濯機
１ａ　洗濯機本体
２　蓋体
３、１０３、２０３、３０３　洗剤投入ボックス
３ａ、１０３ａ　上部
３ｂ、１０３ｂ　下部
４　洗濯槽
６、１７　給水部
６ａ、１７ａ、２０６ａ１、２０６ａ２、２０６ａ３　水受け板
３０６ａ１、３０６ａ２　水受け板
６ｂ、１７ｂ、３０６ｂ１　開口部
７　水槽
８　駆動モータ
９　モータ軸
１０ａ、１０ｂ　突起体
１１　制御回路
１２　給水弁
１３　取手
１４ａ、１４ｂ　羽根
１５　洗濯物
１６　洗剤
【図１】
2004008563.tif 000003
【図２】
2004008563.tif 000004
【図３】
2004008563.tif 000005
【図４】
2004008563.tif 000006